Podtech/llm-jp-corpus-v4-ja_patent huggingface dataset:
(57)【要約】【課題】取付や配線の生産性を向上するとともに、作業性を向上し、かつ改造時間を短縮する。【解決手段】回路機器を本体部３に収納するとともに、表示器又はスイッチ６を本体部３側に設けたパネル１４に取り付け、表示器又はスイッチ６を扉４に設けた窓４ｂから露出させる。【選択図】図１
2008099498.tif 000002
【特許請求の範囲】
【請求項１】
箱体に挿入、引き出し自在に設けられるとともに、本体部と本体部に開閉自在に設けられた扉とから構成され、電力制御のための回路機器と、監視のための表示器又は操作のためのスイッチとが設けられたコントロールセンタユニットにおいて、回路機器を本体部に収納するとともに、表示器又はスイッチを本体部側に設けられたパネルに取り付け、表示器又はスイッチを扉に設けた窓から露出させるようにしたことを特徴とするコントロールセンタユニット。
【発明の詳細な説明】
【技術分野】
【０００１】
この発明は、コントロールセンタユニットに関するものである。
【背景技術】
【０００２】
図２は特許文献１等に示された従来のコントロールセンタユニット１を多段に挿入した箱体２の斜視図を示し、コントロールセンタユニット１は箱体２に挿入、引き出し自在に設けられている。図３（ａ），（ｂ）は従来のコントロールセンタユニット１の正面図及び横断平面図を示し、コントロールセンタユニット１は本体部３と本体部３に開閉自在に設けられた扉４とから構成され、本体部３内には主回路電源をオンオフする配線用遮断器（ＭＣＣＢ）５が設けられ、その操作ハンドル５ａは扉４に設けられた窓４ａから露出している。又、本体部３内には配線用遮断器５以外にも電力制御のための回路機器が設けられている。一方、扉４には、コントロールセンタユニット１を監視、あるいは操作するための表示器又はスイッチ６が設けられ、この表示器又はスイッチ６と本体部３との配線は分離可能なようにコネクタにより接続されている。
【０００３】
図４はコントロールセンタユニット１の回路構成を示し、電源７には主回路８を介して電動機９（電動機９はコントロールセンタユニット１外に設けられる。）が接続され、主回路８には配線用遮断器５が設けられ、さらに電磁接触器１０、主回路８の電流を検出する電流変換器１１及び主回路８の零相電流を検出する零相変流器１２が設けられており、また配線用遮断器５の負荷側には操作用変圧器１３を介して制御回路が接続される。又、電流変換器１１及び零相変流器１２からも制御回路に出力される。
【０００４】
なお、その他の先行技術文献情報として、特許文献２，３がある。
【特許文献１】特開平９−３０８０２８号公報
【特許文献２】特開平５−２８４６３７号公報
【特許文献３】特開平６−１５３３３３号公報
【発明の開示】
【発明が解決しようとする課題】
【０００５】
上記した従来のコントロールセンタユニット１においては、部品の取付に当たり、部品が本体部３側と扉４側に取り付けられているために、本体部３側と扉４側に分けなければならず、配線も本体部３側と扉４側の別々の配線が必要になり、生産性が悪かった。又、部品が本体部３側と扉４側に取り付けられているために、コントロールセンタユニット１の挿入、引出に際して、扉４側の部品が邪魔になり、作業性が悪化した。さらに、コントロールセンタユニット１を改造する際も本体部３側と扉４側の双方の改造が必要になり、改造に時間を要した。
【０００６】
この発明は上記のような課題を解決するために成されたものであり、取付や配線において本体部側のみ行えばよく、生産性が向上するとともに、箱体への挿入、引出の作業性も向上し、かつ改造時間も短縮することができるコントロールセンタユニットを得ることを目的とする。
【課題を解決するための手段】
【０００７】
この発明の請求項１に係るコントロールセンタユニットは、箱体に挿入、引き出し自在に設けられるとともに、本体部と本体部に開閉自在に設けられた扉とから構成され、電力制御のための回路機器と、監視のための表示器又は操作のためのスイッチとが設けられたコントロールセンタユニットにおいて、回路機器を本体部に収納するとともに、表示器又はスイッチを本体部側に設けられたパネルに取り付け、表示器又はスイッチを扉に設けた窓から露出させるようにしたものである。
【発明の効果】
【０００８】
以上のようにこの発明によれば、回路機器を本体部に収納するとともに、表示器又はスイッチを本体部側に設けられたパネルに取り付けており、部品の取付や配線は本体部側のみ行えばよく、生産性が向上する。又、扉側に部品が無いので、コントロールセンタユニットを箱体から引き出し、挿入する際に、扉側の部品が邪魔にならず、作業性が向上する。さらに、コントロールセンタユニットを改造する際には、本体部側のみ改造すればよく、改造時間を短縮することができる。
【発明を実施するための最良の形態】
【０００９】
以下、この発明を実施するための最良の形態を図面とともに説明する。図１（ａ），（ｂ）はこの発明の実施最良形態によるコントロールセンタユニットの正面図及び横断平面図を示し、コントロールセンタユニット１は従来同様に箱体２に挿入、引き出し自在に、かつ多段に設けられ、本体部３と本体部３に開閉自在に設けられた扉４とから構成される。本体部３には配線用遮断器５を含む電力制御のための回路機器が収納される。即ち、図４に示した回路機器が制御回路も含めて収納される。配線用遮断器５の操作ハンドル５ａは扉４に設けられた窓４ａから露出させる。
【００１０】
又、監視のための表示器又は操作のためのスイッチ６は本体部３側に設けたパネル１４に取り付け、この表示器又はスイッチ６を扉４に設けた窓４ｂから露出させる。
【００１１】
上記構成において、表示器又はスイッチ６は扉４の窓４ｂから露出しており、その表示又は操作に支障はない。
【００１２】
上記した実施最良形態においては、図４に示した回路機器を本体部３に収納するとともに、表示器又はスイッチ６を本体部側に設けたパネル１４に取り付けており、全ての部品の取付や配線は本体部３側のみで行えばよく、生産性が向上する。又、扉４側に部品が無いので、コントロールセンタユニット１を箱体２から引き出し、挿入する際に、扉４側の部品が邪魔にならず、作業性が向上する。さらに、コントロールセンタユニット１を改造する際には、本体部３側のみ改造すればよく、改造時間を短縮することができる。
【図面の簡単な説明】
【００１３】
【図１】この発明の実施最良形態によるコントロールセンタユニットの正面図及び横断平面図である。
【図２】特許文献１等に示された従来のコントロールセンタユニットを挿入した箱体の斜視図である。
【図３】従来のコントロールセンタユニットの正面図及び横断平面図である。
【図４】コントロールセンタユニットの回路構成図である。
【符号の説明】
【００１４】
１…コントロールセンタユニット
２…箱体
３…本体部
４…扉
４ａ，４ｂ…窓
５…配線用遮断器
６…表示器又はスイッチ
１０…電磁接触器
１１…電流変換器
１２…零相変流器
１３…操作用変圧器
１４…パネル
【図１】
2008099498.tif 000003
【図２】
2008099498.tif 000004
【図３】
2008099498.tif 000005
【図４】
2008099498.tif 000006
(57)【要約】【課題】  新しい物と、古い物とが混ざることなく、先に入れた物が先に取り出し口へと下りてくるようにする。【解決手段】  受け皿は、２本の支柱（１）（２）に段差のついた穴の、受け皿支持部により、受け皿に傾斜をつけることができるため先に入れたものが順に、先に下りてくるようになる。【選択図】図２
2008055122.tif 000002
【特許請求の範囲】
【請求項１】
支柱（１）（２）の受け皿支持部の穴を、段差をつけて、固定し受け皿を組み合わせる。
（１）（２）は同型で段差がある。
【請求項２】
１ヶ以上の受け皿支持部。
【請求項３】
下に引き出しをつける
【発明の詳細な説明】
【技術分野】
【０００１】  この発明は、挿入口から入れた物が、取りだし口へと自然に下りてくるように、傾斜をつけた貯蔵棚に関するものである
【背景技術】
【０００２】  従来、物の保存には、箱や籠などに、まとめて入れていた。
【発明の開示】
【発明が解決しようとする課題】
【０００３】これは次のような問題点があった
まとめて入れるだけの箱や籠では、古いものと、新しい物との区別がつきにくかった。
本発明は、以上のような問題点をなくすために、なされた物である。
【課題を解決するための手段】
【０００４】  支柱（１）の、受け皿支持部（３）の穴に段差をつけた２枚をジョイント（５）で固定し、受け皿を組み合わせる。
本発明は、以上の構成によりなる受け皿の傾斜によって、先に入れた物から先に取り出せる貯蔵棚である。
【発明の効果】
【０００５】  本発明は、受け皿支持部（３）に段差があるため、受け皿（４）に傾斜がついて、入れた順に、取りだし口に下りてくる、先に入れた物から、古いものから順に取り出せる。
【発明を実施するための最良の形態】
【０００６】以下、本発明の実施例について説明する。
（イ）２枚の支柱（１）（２）の受け皿支持部の穴は、段差をつけ、ジョイント（５）で固定する。
（ロ）受け皿（４）を組み合わせる。
（ハ）１個以上の受け皿支持部（３）。
（ニ）下に引き出し（６）をつける。
本発明は、以上のような構造でこれを使用するときは、受け皿を２本の支柱の周りを一回りさせ、入れる時も取り出すときも手前側から行うことができる。
なお図４のように直線の受け皿を、受け皿支持部に渡せば、狭い場所での使用も可能となる。
【図面の簡単な説明】
【０００７】
【図１】本発明の支柱の斜視図である。
【図２】本発明の斜視図である。
【図３】本発明の支柱（１）と、（１）を立て半分にした支柱（８）と組み合わせた斜視図である。
【図４】本発明の直線の受け皿を、使用する際の斜視図である。
【符号の説明】
【０００８】１  支柱
２  支柱
３  受け皿支持部
４  受け皿
５  ジョイント
６  引出し
７  直線の受け皿の受け皿支持部のある支柱。
８  支柱（１）を縦半分にカットした支柱
【図１】
2008055122.tif 000003
【図２】
2008055122.tif 000004
【図３】
2008055122.tif 000005
【図４】
2008055122.tif 000006
(57)【要約】【課題】ウォーキング、ジョギング、歩行運動器具使用時に腹部の脂肪をマッサージするウエストマッサージ器を提供する。【解決手段】布状の本体ローラーカバーに突起のあるローラーを取り付けその両端に腕に装着するための腕ベルトを設け、両腕に装着し腕を前後動作することにより腹部の脂肪をマッサージすることを特徴とするウエストマッサージ器。【選択図】図１
2008055126.tif 000002
【特許請求の範囲】
【請求項１】
突起ローラーを設けた本体ローラーカバーと、位置調整ベルトと、腕ベルトとからなるウエストマッサージ器。
【請求項２】
腕ベルトがどの部位でも取り付け可能となるように腕ベルトに面ファスナーを設けたことを特徴とする請求項１あるいは請求項２記載のウエストマッサージ器。
【請求項３】
位置調整ベルトと腕ベルトが離脱しやすいように位置調整ベルトの片端に面ファスナーを設けたことを特徴とする請求項１、請求項２記載のウエストマッサージ器。
【発明の詳細な説明】
【技術分野】
【０００１】  本発明は本体ローラーカバーに連結してある両腕の腕ベルトをとおして腕の前後動作により突起ローラーを回転させ腹部の脂肪をマッサージするウエストマッサージ器である。
【背景技術】
【０００２】  従来、片手で突起のあるローラーを持って腹部の脂肪に押し付けながら回転させたり、両手で紐・ベルト状体、あるいは棒状の持ち手を引っ張りながらローラーを腹部に押し付けて回転させ、マッサージをしていた。
【発明の開示】
【発明が解決しようとする課題】
【０００３】  そのために、次のような問題点があった。
（１）手で持って押し付けながらローラーを回転させる方法では動作が大変で疲れるため長い時間はできず十分なマッサージができない。
（２）手に持つ方法では単純な往復動作のため飽きてしまい腹部のマッサージのためだけに時間を費やすのは難しい。
【課題を解決するための手段】
【０００４】  布状の本体ローラーカバーに突起のあるローラーを取り付けその両端に腕に装着するための腕ベルトを設けたウエストマッサージ器である。
【発明の効果】
【０００５】  本発明は両腕に装着した腕ベルトにより突起ローラーが腕を前後動作することにより、手で持って押し付けながらローラーを回転させる動作をしなくても、ウォーキング時・ジョギング時・歩行運動器具等使用時に使用できるため、手が疲れたり飽きてしまうということはなく十分なマッサージを継続的に行なうことができる。
【発明を実施するための最良の形態】
【０００６】  以下、本発明の実施の形態について説明する。
（イ）布状、ゴム、皮革類、ベルト状の本体ローラーカバー（１）にマッサージ器具の突起ローラー（２）を取り付け、またローラーカバー（１）に変わる紐状体の場合にもマッサージ器具の球形ローラー（１４）を取り付ける。
（ロ）本体ローラーカバー（１）の両側に長さを調節できるベルト状体等の位置調整ベルト（６）を取り付ける。
（ハ）位置調整ベルト（６）の両側に腕に装着するためのベルト状体の腕ベルト（５）を面ファスナー（４）にて取り付ける。
（ニ）腕ベルト（５）を腕に固定するため、または取り外しがしやすいように面ファスナー（４）を設ける。
本発明は、以上の構成でなっている。
本発明を使用するときは本体ローラーカバー（１）の両端にある腕ベルト（５）の一方を前腕後部または上腕前部にまきつけ面ファスナー（４）にて装着する。突起ローラー（２）を腹部に当てながら、もう一方の腕ベルト（５）を前腕後部または上腕前部に巻きつけ面ファスナー（４）にて装着する。左右の腕を前後あるいは後方に引く事で本体ローラーカバー（１）が腹部に接触する。この時だぶついたり左右の腕の間隔が近すぎる場合には位置調整ベルト（６）と調整具（７）にて長さを調節して腹部に密着できるようにする。ウォーキング時・ジョギング時・歩行運動器具等使用時に左右の腕を前後に振ることにより本体ローラーカバー（１）が左右に往復し、それによって腹部に接触している突起ローラー（２）が回転し腹部の脂肪を刺激マッサージすることができる。
【実施例１】  図３に示すように布状、ゴム、皮革類、ベルト状の本体ローラーカバー（１）にくらべ突起ローラー（２）がプラスチック等の素材である一体化ローラーカバー（１０）に固定されているため回転しやすく腹部に押し当てやすいようにすべての突起ローラー（２）を一体化ローラーカバー（１０）に取り付けた形態を用いてもよい。
【実施例２】  図４に示す様にローラーが回転しやすいように突起ローラーに替えて全方向に可動するロールマッサージ器（１１）とすることができる。
【実施例３】  図５に示すように本体ローラーカバー（１）をウエスト全体に効果が出るように腹巻状のウエストベルト（１２）として突起ローラー（２）を前後左右に装着できる形態とすることもできる。
【実施例４】  図６に示す様に本体ローラーカバー（１）・突起ローラー（２）を腹部に密着しやすいように、また持ち運びや保管しやすいように球形ローラー用軸（１５）に紐状体（１３）を等間隔に連結する形態とすることもできる。
【実施例５】  図７に示すように突起ローラー（２）がまんべんなくウエストを刺激マッサージできるようにキャタピラ状の平面板に突起を設けた形態を用いてもよい。
【図面の簡単な説明】
【０００７】
【図１】  本発明の斜視図
【図２】  本発明の斜視図
【図３】  本発明の一例を示した図
【図４】  本発明の一例を示した図
【図５】  本発明の一例を示した図
【図６】  本発明の一例を示した図
【図７】  本発明の一例を示した図
【図８】  本発明の使用状態を示す斜視図
【図９】  本発明の使用状態を示す斜視図
【符号の説明】
【０００８】  １  本体ローラーカバー
２  突起ローラー
３  突起ローラーカバー
４  面ファスナー
５  腕ベルト
６  位置調整ベルト
７  調整具
８  留め具（小）
９  留め具（大）
１０  一体化ローラーカバー
１１  ロールマッサージ器
１２  ウエストベルト
１３  紐状体
１４  球形ローラー
１５  球形ローラー用軸
１６  変形ローラー軸
１７  キャタピラ状指圧具
【図１】
2008055126.tif 000003
【図２】
2008055126.tif 000004
【図３】
2008055126.tif 000005
【図４】
2008055126.tif 000006
【図５】
2008055126.tif 000007
【図６】
2008055126.tif 000008
【図７】
2008055126.tif 000009
【図８】
2008055126.tif 000010
【図９】
2008055126.tif 000011
(57)【要約】【課題】本発明は、吸湿・放湿性に優れ肌への負担が少なく刺激にならない１００％のシルク生地を用いることで、入浴時に浴槽やシャワーから自然発生する蒸気を有効利用することができ、顔面の血液循環・新陳代謝を高めることでデトックス効果と皮膚の角化作用（再生能力）を高めるとともに毛穴を開かせ皮膚の汚れを落とす効果を得ることができ、繰り返し使えることで経済的負担・環境破壊を少なくすることができる。また、使用後は小さく折りたため、持ち運びが容易なものを提供する。【手段】シルク１００％のシフォン生地の上部にリボンを通し、リボン部分を縛ることでベール状にしたものを頭や顔面から被るようにしたもの。【選択図】図２
2008055125.tif 000002
【特許請求の範囲】
【請求項１】
絹に含まれているシルクプロテイン（セリシン・フィブロイン）と、吸湿性・放湿性に優れ肌への負担が少なく刺激にならない１００％のシルク生地を使ったシフォンを縫い合わせた生地を頭からかぶることで、入浴中に浴槽やシャワーから自然発生する蒸気を取り込みやすくしたシルク生地のフェイススチームベール。
【請求項２】
入浴時に浴槽やシャワーから自然発生する蒸気を有効利用することができ、顔面の血液循環・新陳代謝を高めることでデトックス効果と角化作用（再生機能）が得られ、毛穴を開かせることで皮膚の汚れを落とす美容効果が得られるもの。
【請求項３】
繰り返し使えることで経済的負担・環境破壊を少なくすることができるシルク製の美容道具。
【発明の詳細な説明】
【技術分野】
【０００１】  本発明は、シルクが持っているシルクプロテイン（セリシン・フィブロイン）の効果や、高い吸湿性・放湿性を利用して、美容効果を高める道具に関するものである。
【背景技術】
【０００２】  従来、温熱スチーム（蒸気）を発生させるサウナや美容器具・蒸しタオルを顔に当て、毛穴を開かせることで皮膚の汚れを落とし、美容効果を高める手段が知られている。また、シルクにはセリシンとフィブロインのシルクプロテインの成分が含まれており、吸湿性は綿の１．５倍とされていることが知られている。
【発明の開示】
【発明が解決しようとする課題】
【０００３】  美容効果を高める手段として温熱スチームを発生させるサウナや美容器具・蒸しタオルには、次のような問題点があった。サウナは特別な器具や施設の利用が必要となり、顔に用いる美容用のスチーマーもエステなどの施設を利用しなければならず料金がかかる。個人で所有する場合は収納や設置場所を必要とし持ち運びが容易ではなく、一個あたり数万円から数十万円と高価なものであり、電気代をも要し経済的負担がかかるうえ、器具・機械がプラスチック製でできている場合は地球環境への影響も懸念される。蒸しタオルは使用直前に温める手間がかかり、使用後にタオルが乾燥するまでの時間を要する。また、スチーム器具は水道水を使用する場合、ミクロレベルの蒸気としているため管理状況によってはＭＲＳＡ（メチシリン耐性黄色ブドウ球菌）の発生も考えられる。
本発明は、以上の問題点を解決し、シルクプロテイン（セリシンとフィブロイン）の成分を含み、吸湿・放湿性に優れ、肌への負担と刺激が少ないシルク１００％のシフォンをベール状にしたものを頭または顔面を覆うように用いることで、入浴時に浴槽やシャワーから自然発生する蒸気を簡易に有効利用し、皮膚の毛穴を開かせることで無理なく汚れを落とすことができ、顔面の血液循環・新陳代謝・発汗作用を促進させることでデトックス効果が得られ、皮膚本来が持ち備えている角化作用（再生能力）を高めるものであり、繰り返し使えることで経済的負担・環境破壊を少なくし、使用後は小さく折りたためて持ち運びが容易であるようになされたフェイススチームベールである。
【課題を解決するための手段】
【０００４】  フェイススチームベールの生地はシルク１００％のもので、直接肌に触れるものであることと乾燥にかかる時間と乾燥時間を少なくするためにシフォンとする。縦５０ｃｍ、横１００ｃｍの長方形のシフォン生地の上部にリボンを通しリボン部分を縛りベール状になるようにすることで入浴時に浴槽やシャワーから自然発生する蒸気を取り込みやすくし顔面の血液循環・新陳代謝を高める。側面の両端は上１０ｃｍまで縫い合わせ、他は締い合わせず重なり合うようにすることで湿度の調節を行えるようにする。
本発明は、以上の構成よりなる繰り返し使えるシルク生地のフェイススチームベールである。
【発明の効果】
【０００５】  本発明は吸湿・放湿性に優れ肌への負担が少なく刺激にならない１００％のシルク生地を用いることで、入浴時に浴槽やシャワーから自然発生する蒸気を有効利用することができ、顔面の血液循環・新陳代謝を高めることでデトックス効果と皮膚の角化作用（再生能力）を高め、蒸気と発汗作用により毛穴を開かせ皮膚の汚れを落とす美容効果が得られるもので、繰り返し使えることで経済的負担・環境破壊を少なくすることができる。また、使用後は小さく折りたため、持ち運びが容易なものである。
【発明を実施するための最良の形態】
【０００６】  以下、本発明の実施の形態を説明する。
（イ）フェイススチームベールは、シルク１００％の縦５０ｃｍ、横１００ｃｍの長方形      の生地（１）の四隅を三つ折り又はかがり縫いで処理する。
（ロ）上部になる横の面の一方向にリボンを通すように縫い合わす。
（ハ）（ロ）にリボン（２）を通す。
本発明は以上の構成よりなる。
本発明のフェイススチームベールを使用する場合は、四隅を処理したシルク１００％のシフォン生地（１）に通したリボン（２）を引っ張り絞った状態としたものを頭部と顔面の全体が入るように上からかぶる。使用後は日陰に干す。
【図面の簡単な説明】
【０００７】
【図１】本発明フェイススチームベールの全体図
【図２】本発明フェイスウチームベールの使用図
【符号の説明】
【０００８】  （１）長方形のシフォン生地、（２）リボン
本発明は以上の構成よりなる。
【図１】
2008055125.tif 000003
【図２】
2008055125.tif 000004
(57)【要約】      （修正有）【課題】ＰＴＰ錠剤薬を簡単かつ衛生的に取り出し服用出来る器具を提供する。【解決手段】本器は手の掌サイズで最上部カバー１中間部ベース２下部の受皿ハコの体が組合され各部スライドが出来る。最上部のカバー１と中間部ベース２の間にＰＴＰ錠剤５を挾みセットする指先等で錠剤を必要な数だけ押出す事で自然に下部のハコ（受皿）に入る、錠剤が落ちたら上部カバー部１を親指で其の儘下へスライドさせると下部ハコに錠剤が入って出で来る。【選択図】図２
2008055128.tif 000002
【特許請求の範囲】
【発明の詳細な説明】
【技術分野】
【０００１】此の発明はＰＴＰ錠剤を片手で取出し服用する事が出来る様考案しました。
【背景技術】
【０００２】両手両親指等を使って１つづつ押出して取出して居た。
【発明の開示】
【発明が解決しようとする課題】
【０００３】従来迄の欠点
１、両手両親指等を使ひ力が必要。
２、押出された錠剤が他所に落ちる。
３、手の不自由な方指先に力のない老人等の方に容易に使用出来る。
４、落した錠剤を拾って服用する為非衛生である。
【課題を解決するための手段】
【０００４】本器は手掌サイズで、カバー、ベース、ハコ、の３部品からなりカバーとベースの間にＰＴＰ錠剤を挾み込みセットして、指先にて押し出し受皿のハコ部に錠剤が入る様にしたものである。総て片手のみで取り出せる。
【発明の効果】
【０００５】片手親指のみで押出す事が出来力が要らない．
押出された錠剤が他にこぼれる事なく受皿に自然に入りその儘服用も出来錠剤を指でつまむ事がない為衛生的である。
【発明を実施するための最良の形態】
【０００６】本器は手の掌サイズで最上部▲１▼カバー中間部▲２▼ベース下部▲３▼の受皿ハコの３体が組合され各部スライドが出来る。最上部の▲１▼カバーと中間部▲２▼ベースの間にＰＴＰ錠剤を挾みセットする
指先等で錠剤を必要な数だけ押出す事で自然に下部の▲３▼ハコ（受皿）に入る、
錠剤が落ちたら上部▲１▼カバー部を親指で其の儘下へスライドさせると下部▲３▼ハコに錠剤が入って出で来る。
【図面の簡単な説明】
【０００７】
【図１】本発明の正面写真
【図２】本発明の原理説明写真
【符号の説明】
【０００８】１はカバー      ４．は押出孔
２はベース      ５．はＰＴＰ錠剤
３はハコ        ６．は錠剤
【図１】
2008055128.tif 000003
【図２】
2008055128.tif 000004
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
湾曲アーム状のプラスチックの内面に磁石を組合せて電気  ポット外側に吸着させて上下自由に移動出来る器置き台である。
(57)【要約】      （修正有）【課題】トイレに予備のトイレットペーパーを１個しか置くことが出来なかったが、複数のトイレットペーパーを置けるようにしたトイレットペーパー立ての提供。【解決手段】プラスチックの置き台に接続され、取り外し可能な棒を１から３本接続することによりトイレットペーパーを１から３個置くことができるようにしたトイレットペーパー立てｂとすることで、予備のトイレットペーパーを濡らすことなく、３個まで増やすことができ、予備のトイレットペーパーの置き場所が明確に確保できる。【選択図】図１
2008055120.tif 000002
【特許請求の範囲】
【請求項１】
トイレにある予備のトイレットペーパーをおく置き台。３個まで置ける置き台。数は１個から３個までどれでも選ぶことができる。
【発明の詳細な説明】
【技術分野】
【０００１】本発明はトイレにおける予備のトイレットペーパーの置き台に関する。
【背景技術】
【０００２】本発明は予備のトイレットペーパーの数を１個〜３個置くことを選ぶことができる。トイレットペーパーを置く棒の先端は丸みをおびさせている。
【発明の開示】
【発明が解決しようとする課題】
【０００３】トイレにある予備のトイレットペーパーが、従来は汚れたり濡れたりすることがあった。それを少しでもカバーしようとしている。１個しか予備のトイレットペーパーが置けなかったりしたが数多く３個まで置けるようにする。
【課題を解決するための手段】
【０００４】プラスチックの置き台に置くことで予備のトイレットペーパーが濡れなくなる。予備のトイレットペーパーの個数が３個まで増やすことができる。
【発明の効果】
【０００５】予備のトイレットペーパーの置き場所が明確に確保できる。下が濡れていても予備のトイレットペーパーが濡れることはない。予備のトイレットペーパーがぐらつき崩れることが棒を使用することでなくなる。予備のトイレットペーパーが３個まで確保できる。
【発明を実施するための最良の形態】
【０００６】トイレの四角の隅に置く。予備のトイレットペーパーの個数を１個，２個にする場合は、棒をはずすことが可能。本品をトイレ１ヵ所に付き、１個置く。
【実施例】
【０００７】
2008055120.tif 000003
【産業上の利用可能性】
【０００８】デパート、各会社、家等トイレ１ヵ所に付き、１個使える。
【図面の簡単な説明】
【０００９】▲ａ▼の商品は、プラスチック素材（もしくは、樹脂，ホーロー，トタン，木，ゴム，アルミニウム，ステンレス，鉄，陶器その他）で濡れないように、トイレットペーパーを１／３程カバーしている。棒の▲１▼▲２▼▲３▼は取り外し可能である。個数は１〜３個自由に選ぶことができる。▲１▼▲２▼▲３▼の形は鋭くないように、丸みをおびさせる。▲ｂ▼の商品は、トイレットペーパーを置くだけで、包み込む製品ではない。三角錐の形になっている。▲ａ▼−１・２・３等、容器の形は円形，楕円形，長方形等いろいろある。  はトイレットペーパーとする。
【図１】トイレットペーパー立てを示した平面図である。
【図２】トイレットペーパー立てを示した断面図である。
【符号の説明】
【００１０】▲ａ▼  円筒のトイレットペーパー立て
▲１▼▲２▼▲３▼はとりはずし可能
▲ｂ▼  円すいのトイレットペーパー立て
▲ａ▼−１  円形
▲ａ▼−２  だ円形
▲ａ▼−３  長方形
2008055120.tif 000004
【図１】
2008055120.tif 000005
【図２】
2008055120.tif 000006
(57)【要約】【課題】携帯性と安定性を実現する携帯型子守帯を提供する。【解決手段】任意の帯と、該帯を任意の長さに調整できる長さ調整手段と、前記帯の一方の端部に設けられた取っ手と、前記帯のもう一方の端部に設けられ、身体、衣服等に固定することが出来る固定手段よりなることを特徴とする携帯型の子守帯。【選択図】図１
2008055117.tif 000002
【特許請求の範囲】
【請求項１】
任意の帯と、該帯を任意の長さに調整できる長さ調整手段と、前記帯の一方の端部に設けられた取っ手と、前記帯のもう一方の端部に設けられ、身体、衣服等に固定することが出来る固定手段よりなることを特徴とする携帯型子守帯。
【請求項２】
任意の帯と、前記帯を巻きつけることが出来る巻きつけ機構と、前記帯を任意の長さに調整できる長さ調整手段と、前記帯の一方の端部に設けられた取っ手と、前記巻きつけ機構を任意の位置に固定出来る固定手段よりなることを特徴とする携帯型子守帯。
【請求項３】
開口部を有するカバー本体と、該カバー本体内部に設けられ任意の帯を前記開口部より引き出し収納自在に巻きつけることが出来る巻きつけ機構と、前記帯を任意の長さに調整できる長さ調整手段と、前記帯の一方の端部に設けられた取っ手と、前記カバー本体に設けられ、カバー本体を任意の位置に固定することが出来る固定手段よりなることを特徴とする携帯型子守帯。
【発明の詳細な説明】
【技術分野】
【０００１】  本発明は幼児を持つ親にとって、幼児を抱きかかえる際の身体の負担を軽減することを目的とし、且つ使いたいときに使えるような携帯型子守帯を提供する。
【背景技術】
【０００２】  子供を抱き抱える際に使用する子守帯等がある。
【発明の開示】
【発明が解決しようとする課題】
【０００３】  一般的に知られている子守帯は次のような課題があった。
（イ）嵩張って携帯性が悪く持ち運びに不便だった。また、この為使いたいときに使えないという難点があった。
（ロ）構造が複雑で、装着・脱着時の煩雑性があった。
（ハ）子供の身体への密着度や安定性が悪く、子供によっては嫌がられた。
本発明はこれらの課題を解決すべく、携帯性と安定性を実現する手段を提供するものである。
【課題を解決するための手段】
【０００４】  任意の帯と、該帯を任意の長さに調整できる長さ調整手段と、前記帯の一方の端部に設けられた取っ手部と、前記帯のもう一方の端部に設けられ、身体、衣服等に固定することが出来る固定手段よりなることを特徴とする携帯型の子守帯。
【発明の効果】
【０００５】  固定手段にて帯の一端を固定することにより取っ手の位置が固定され、支えとしての機能が提供される。帯の長さを調整できる調整手段により、子供を抱える際に親の手のところに帯の一端にある取っ手を位置調整することが出来る。そして、取っ手により子を支える親の手が滑らないように固定され、子供を安定した姿勢で保つことが可能となる。
子供にとっては子守帯の使用にも関わらず、実質的に親の腕により抱き抱えられる為、密着感が損ねられず、安定性が得られる。
以上の効果に加え、帯について、これを巻きつけられる巻きつけ機構を設けることにより、収納性や携帯性を良くし、容易に子守帯を使用したり収納したりすることが出来る。また、巻きつけ機構を覆うカバーを設けることにより、一層使い勝手が向上する。
【発明を実施するための最良の形態】
【０００６】    以下、本発明の第１の実施形態について説明する。
（イ）帯（１）の一端を固定ベルト（２）に接続する。
（ロ）帯（１）の固定ベルト（２）と接続した反対側の一端に取っ手（３）を設ける。
（ハ）固定ベルト（２）には着脱自在なバックル（５）を設ける。
（ニ）帯（１）及び固定ベルト（２）については長さ調節具（４）を有し、任意の長さに調整可能とする。
（ホ）固定ベルト（２）にはホルダー（１２）を設け、使用しないときは帯（１）を収納出来るものとする。
本発明は以上のような構造で、これを使用するときは固定ベルト（２）にて帯（１）の一端を抱き抱える親の背面腰部に固定し、帯（１）を背面から肩越しに前面へ回し込み、取っ手（３）を前方へ垂らす。
親は子を抱き抱える際に、肘から手首にかけて子供を座らせるように持ち上げるが、このとき取っ手（３）を手で握ることによりつり革的な支えが提供される。
これにより親は腕の負担を軽減することが出来る。
｛発明を実施する異なる形態｝【０００７】  本発明の第２の実施形態について図４を用いて説明する。
固定ベルト（２）は、ベルト等に固定するフック（６）でも可能である。これにより脱着が容易になり、携帯性がよくなる。【０００８】  本発明の第３の実施形態について図５を用いて説明する。
固定ベルト（２）は、ベルト等に固定する固定具（７）でも可能である。これにより脱着が容易になり、携帯性がよくなる。【０００９】  本発明の第４の実施の形態について図６を利用して説明する。
固定ベルト（２）の代わりに、帯（１）を取出収納自在に巻きつけることができ、固定具（６）及び帯を任意の長さに固定出来るストッパー１（９）を有する巻きつけ機構（８）にしたものである。また、本実施の形態においては、前記実施例に用いられている、帯（１）に設けられた長さ調節具（４）は必要としない。【００１０】  本発明の第５の実施の形態について図７を利用して説明する。
本実施の形態は、本発明の第４の実施の形態と異なる点は、巻きつけ機構（８）の外部にカバー（１０）を設け、ストッパー１（９）の代わりにストッパー２（１１）を設けた点である。ストッパー２の機能はストッパー１と同様である。
【図面の簡単な説明】
【００１１】
【図１】本発明の第１の実施の形態の斜視図
【図２】本発明の第１の実施の形態の使用状態を示す正面図
【図３】本発明の第１の実施の形態の使用状態を示す背面図
【図４】本発明の第２の実施の形態の斜視図
【図５】本発明の第３の実施の形態の斜視図
【図６】本発明の第４の実施の形態の斜視図
【図７】本発明の第５の実施の形態の斜視図
【符号の説明】
【００１２】    １．帯
２．固定ベルト
３．取っ手
４．長さ調節具
５．バックル
６．フック
７．固定具
８．巻きつけ機構
９．ストッパー１
１０．カバー
１１．ストッパー２
１２．ホルダー
【図１】
2008055117.tif 000003
【図２】
2008055117.tif 000004
【図３】
2008055117.tif 000005
【図４】
2008055117.tif 000006
【図５】
2008055117.tif 000007
【図６】
2008055117.tif 000008
【図７】
2008055117.tif 000009
(57)【要約】【課題】衣料用ハンガーの滑り止めを最小限の部材で、清潔に保ち、廃材を最小限に抑え、滑り止め機能を最大に持たせる事が出来る構造を提供する事である。【解決手段】ハンガー肩部に１個以上の開口部を設け、その開口部の端部にギザギザをつける。  そのギザギザを持つ端部にウレタン等の滑り止め部材を引っ掛けるように装着し滑り落ちやズレの発生を防ぐ。【選択図】図６
2008055115.tif 000002
【特許請求の範囲】
【請求項１】
衣料用ハンガーにおいて、両肩部上側に１個以上の開口部を設け、その開口部を通過するように細い帯状のウレタン等を装着し、滑り止め機能をもたせることを特徴とする衣料用ハンガー。
【請求項２】
請求項１に表記した開口部の形状として、装着されたウレタン等の滑落を防ぐ為、両端の開口部の内端部にギザギザをつけ、そのギザギザ部分にウレタン等が引っ掛かるようにして、ずれ発生の防止ができる構造を持たせることを特徴とする衣料用ハンガー。
【請求項３】
前記請求項１及び請求項２において明記される滑り止め用のウレタン等の装着方法の構造に加え、そのギザギザを施したことにより、その滑り止め用のウレタン等が容易に着脱及び装着できることを可能にした衣料用ハンガー。
【請求項４】
前記請求項１、請求項２及び請求項３の構造を持つ衣料用ハンガーの下部にフタを取り付け、衣料にハンガーのエッジによるハンガーエッジ跡がつくことを防止する構造を持つ衣料用ハンガー。
【発明の詳細な説明】
【技術分野】
【０００１】  衣料用ハンガーの構造に関する。
【背景技術】
【０００２】  従来の滑り止め機能を持つ衣料用ハンガーでは、滑り止め用の部材をなんらかの手段を用い固定する為、その滑り止め用部材の低い抵抗により効果があまりみられなかった。そのため、衣類の輸送中にハンガーから衣類の脱落等が多数みられていた。  また、肩部全体を覆う方法で滑り止め部材を装着する場合は、その部材を大量に使用しなければならないため、コスト的に高くなる。さらに、フタ付ではないハンガーでは本体下部のエッジ跡が衣料に残ってしまう。
【発明の開示】
【発明が解決しようとする課題】
【０００３】  従来はこれらの問題点を解決するために、衣料用ハンガーにウレタンを肩部にかぶせる方法をとっていた。  部材の量を最小限に抑えコストを下げ、なおかつ着脱可能で洗浄、交換、再利用が可能となるような状態で装着できるような構造をもたせることが課題である。【０００４】  滑り止め部材の固定方法に異なる性質の材料を使用することなく、ハンガー本体にその滑落防止装置を施し、材料の再利用を容易にして環境に優しくしてゆくことが課題である。
【発明の効果】
【０００５】  着脱可能なウレタン等の滑り止めを細い帯状に装着するため、コスト面での利点が生じる。また、滑り止め部材が着脱可能という構造にすることにより、その滑り止め部材が洗浄、交換可能となり、常に清潔に保てる。【０００６】  滑り止め部材の固定目的のために異質の材料を使用しないため、原材料の再利用が容易になる。その上、使用される滑り止め用のウレタン等の材料を最小限に留められる為、そのウレタン等の部材を廃棄する時に従来の３０分の１程度に抑えられ環境保護に貢献できる。
【実施例】
【０００７】  図１に示されるように、滑り止め用ウレタン等の滑り止め４を装着する開口部６の内側端部にギザギザを持つ端部１を設け、ウレタン等の滑り止め４を引っ掛けるように取り付けて、ずれの起こるのを防止する。【０００８】  図１のギザギザを持つ端部１の両脇にスリット３を設け、帯状のウレタン等の滑り止め４を取り外す際に、その部分に上方から圧力を加えウレタン等の滑り止め４の取り外しを容易にすることができる。【０００９】  図２のように帯状ウレタン等の滑り止め４はハンガー肩部の全体を覆うことなく、開口部６の範囲内にのみ装着されるため少量の材料使用で対応できる。【００１０】  図３のように、ウレタン等の滑り止め４を取り外した時には、ハンガー本体５のみが残存し、異質の材料は完全に除かれる。
【図面の簡単な説明】
【００１１】
【図１】ザギザを持つ開口部端部の拡大図である。
【図２】滑り止め部材が装着されたときの状態の正面図である。
【図３】滑り止め部材を装着していないときの状態の正面図である。
【図４】滑り止め部材が装着されていない本体を上方から見た図である。
【図５】滑り止め部材が装着されている本体を上方から見た図である。
【図６】開口部の形状を示す図である。
【符号の簡単な説明】
【００１２】１．ギザギザを持つ端部
２．ハンガー肩部先端
３．スリット
４．滑り止め
５．ハンガー本体
６．開口部
７．フック
８．ハンガーフタ部
【図１】
2008055115.tif 000003
【図２】
2008055115.tif 000004
【図３】
2008055115.tif 000005
【図４】
2008055115.tif 000006
【図５】
2008055115.tif 000007
【図６】
2008055115.tif 000008
(57)【要約】【課題】  本願は前述の数々の欠点を解消し着脱が簡単で長時間使用でき、使用感及び見た目にも良い指サックを提供するものである。  【解決手段】  本発明の目的は指サック本体を平面展開した時に、仮想表面積に対する実面積の比率が７０％以下であって、柔軟かつ形状保持性を有する素材から出来ている事を特徴とする指サックによって達成される。【選択図】      図3
2008055888.tif 000002
【特許請求の範囲】
【請求項１】
指サック本体を平面展開した時に、仮想表面積に対する実面積の比率が７０％以下であって、柔軟かつ形状保持性を有する素材から出来ている事を特徴とする指サック。
【請求項２】
指サック本体を平面展開すると略Ｔ字状をなしている事を特徴とする請求項１記載の指サック。
【請求項３】
指サック本体のＴ字の縦部分の少なくとも一部に、静摩擦係数が０．５以上の高摩擦素材を有する事を特徴とする請求項１又は請求項２記載の指サック。
【請求項４】
指サック本体の爪に当たる部分に、爪カバーを設けた事を特徴とする請求項１〜３のいずれか１項に記載の指サック。
【発明の詳細な説明】
【技術分野】
【０００１】
本願は指サックに関し、特に蒸れが無く長時間使用しても快く使用可能な指サックである。
【背景技術】
【０００２】
書類を数えることや重なった生地等を１枚ずつ手元に取るためには、ゴム等で形成されたものを指先に被せて使用する指サックが一般に知られ、市販されている。しかし、指先全体を被せる方法では、指先への着脱が面倒な上、きっちりと隙間が出来ないように被せないと使用中にずれたり、外れたりするので不安定になり使用しづらい。逆に、隙間なくきっちりと被せた場合指先に汗をかきその汗でサックがずれる不便が起こり、指サック全体で締め付けられることによる不快感もあり長時間使用することができないという欠点がある。
これらの欠点を解消するために提案がされている（特許文献１）、多少の蒸れの解消という所のみは改善されたものの長時間使用でのずれや外れ、不快感は依然として改善されていない。また、（特許文献２）では、蒸れは改善されたが指に張り付いた違和感、汗をかいたときのずれや外れは改善されていないため、本願の目的とするきっちりと指に馴染みかつ快適に長時間使用できる指サックを得ることはできていない。
【０００３】
【特許文献１】実開平０５−９１８６６号
【特許文献２】実開平０８−００４６０号
【発明の開示】
【発明が解決しようとする課題】
【０００４】
本願は前述の数々の欠点を解消し着脱が簡単で、長時間使用でき使用感及び見た目にも良い指サックを提供する事を目的とするものである。
【課題を解決するための手段】
【０００５】
本願の目的は指を覆う比率が仮想表面積の７０％以下であって、使用する指の形状に合わせて変形可能としたことを特徴とする指サックによって達成される。
【発明の効果】
【０００６】
上記のように、本願の指サックは爪から指先の脇だけが覆われるだけで、指の腹部分はさほど覆われるものがないために蒸れがない。さらに、本願の指サックは使用する指の形状に合わせた形状にできることが大きな特徴であり、それによりずれず、指に圧迫感がなく長時間使用しても違和感なく使用可能であるという実用上優れた効果を発揮する。
本願の指サックは紙を操る作業に適用できることはもちろんであるが、織物や編み物などの布を操る作業にも好ましく、適用することが出来る。
【発明を実施するための最良の形態】
【０００７】
図１において、本願のＴ字型のうち縦部分を１、横部分を２、その境を３とする。まず横部分２を爪の上に被せ、さらに指の脇に沿って曲げ、指に沿わせ、縦部分１の先端を境３近傍より指の腹に沿わせ曲げ、指の腹を支える形にする。図２は本体を爪の上に被せた時の図である。少なくとも一部分とは高摩擦素材が縦部分１全体を覆っていても良く、また、表面の一部に貼り付けたものでも良い。また、さらに横部分２の爪に当たる部分に、爪の形をした湾曲して爪を包み込むような爪カバーを付けると、なお指に対して、より長時間の装着を確実にする事が可能になる。
【０００８】
また本体の横部分の中央部分は、削り取ることによって、さらに指を覆う比率を少なく出来、蒸れをより減少させることがより好ましい。
【０００９】
仮想表面積とは、本体で指先部分全体を覆うとした時の面積を意味し、図４において平面展開した該指サックの外形に接するように作成した、破線部分の長方形を仮想表面積とする。実面積とは、実際の該指サックの面積を意味し、図４において略Ｔ字状をした実線部分を実面積とする。また、指を覆う面積比率とは、前記仮想面積に対する前記実面積の百分率（％）である。その指を覆う面積比率は、７０％以下を必要とするが、好ましくは60％以下、特に好ましくは50％以下を必要とする。
該指サック本体に使用する素材は、簡単に変形する程度の柔らかさがあり、かつその形状を保持する性能を有していることが必要である。この特性を有していれば素材を限定することはないが、従来指サックとして使用されている通常のゴムは適当ではなく、薄めのステンレスやアルミなどの金属類、形状保持性を有しているプラスチックなどが好ましい。
さらに、指サック本体の、少なくともＴ字の縦部分１の表面に当たる部分は、静摩擦係数が０．５以上からなる高摩擦素材からなっていることが好ましく、この静摩擦係数とは前記材料と業務用プリント用紙、例えばＡｓｋｕｌ  Ｈｙｂｒｉｄ  Ｐａｐｅｒ３０％リサイクル紙との間で測定される値である。この、Ｔ字の縦部分１の表面に当たる部分の素材としては、特に限定されるものではないが、静摩擦係数が高く、本体の形状に馴染むものであれば良い。例えば、ゴムやプラスチックなどが好ましく適用することができる。中でも、指サック本体全体を高摩擦素材で覆い尽くすというのも好ましい形態で、シリコンゴム等で指サック本体全面をコーティングするというのも、より好ましく適応できる。
第二関節上とは、指の第二関節から指先に向けての部位をいい、また指の腹とは指先の爪とは反対側（手のひら側）の部位をいい、また指の脇とは爪と指の腹の間の部位のことをいう。
【産業上の利用可能性】
【００１０】
本願の指サックは紙を繰る時に使用することや、布を繰る時に使用するなど、従来使用している用途で使用することができ、特に長時間にわたって継続する業務に適している。
【図面の簡単な説明】
【００１１】
【図１】本願指サック展開図の平面図と正面図
【図２】本願指サックを平面展開して、爪の上に被せた状態の図
【図３】本願指サックを指の形状に沿って変形させ、指にはめた状態の側面図
【図４】本願指サックの仮想面積と実面積を示す図
【符号の説明】
【００１２】
１        本願指サック本体
１１      本願指サックの縦部分
１２      本願指サックの境部分
１３      本願指サックの横部分
１４      本願指サックの横部分の中央部分
２        本願指サックの爪カバー
３        指
４        静摩擦０．５以上の高摩擦素材部分
【図１】
2008055888.tif 000003
【図２】
2008055888.tif 000004
【図３】
2008055888.tif 000005
【図４】
2008055888.tif 000006
(57)【要約】【課題】本発明は、簡単に製造できるねじ締め工具を提供する。【解決手段】本発明のねじ締め工具１は、ドライバビット３と、このドライバビット３が挿入されるスクリューガイド２とから構成される。前記スクリューガイド２は、一様な筒状のパイプ部５とこのパイプ部５が嵌合する中空穴を有するガイド部４とから構成され、前記パイプ部５を前記ガイド部４の中空穴に嵌合し、接着して成ることを特徴とする。そのため、前記ガイド部４および前記パイプ部５は非常に簡単に加工することができる。【選択図】  図１
2008055561.tif 000002
【特許請求の範囲】
【請求項１】
ドライバビットと、このドライバビットが挿入されるスクリューガイドとから構成されるねじ締め工具において、前記スクリューガイドは、一様な筒状のパイプ部とこのパイプ部が嵌合する中空穴を有するガイド部とから構成され、前記パイプ部を前記ガイド部の中空穴に嵌合し、接着して成ることを特徴とするねじ締め工具。
【発明の詳細な説明】
【技術分野】
【０００１】
本発明は、簡単に製造できるねじ締め工具に関する。
【背景技術】
【０００２】
従来、エア吸引方式によるねじ締め工具としては、特許文献１に示すようなねじ締め工具が知られている。このねじ締め工具は、中空円筒状のスクリューガイドと、このスクリューガイド内に所定の隙間を有して内挿されるドライバビットとから構成される。前記スクリューガイドの外周面は、段付円筒状を成しており、切削加工によって形成される。また、前記ねじ締め工具はドライバビットと前記スクリューガイドの内径との隙間からエアを吸引して当該スクリューガイドの内径面にねじを吸引保持するように構成されている。
【０００３】
【特許文献１】特開平８−１５３３
【発明の開示】
【発明が解決しようとする課題】
【０００４】
しかし、上記のねじ締め工具では前記スクリューガイドが切削加工によって成形されているため、当該スクリューガイドの外周面の段付き部分を高精度に仕上げるのに非常に手間がかかっていた。また、このスクリューガイドは外径の異なる部分が一体に形成されている。つまり、このスクリューガイドの肉厚は一様でないので、当該スクリューガイドを熱処理する際、当該スクリューガイドには不均一な温度分布が生じる。その結果、前記スクリューガイドの自由膨張は当該スクリューガイドの下部より膨張率の低い前記スクリューガイドの上部によって拘束され、このスクリューガイドにはひずみが発生し、当該スクリューガイドが変形してしまう問題があった。  
【課題を解決するための手段】
【０００５】
本発明は、ドライバビットと、このドライバビットが挿入されるスクリューガイドとから構成されるねじ締め工具において、前記スクリューガイドは、一様な筒状のパイプ部とこのパイプ部が嵌合する中空穴を有するガイド部とから構成され、前記パイプ部を前記ガイド部の中空穴に嵌合し、接着して成ることを特徴とする。
【発明の効果】
【０００６】
本発明のねじ締め工具では、ガイド部とパイプ部とを別々に製造できるので、このガイド部および前記パイプ部は非常に簡単に加工することができる。そのため、前記ガイド部に前記パイプ部を取り付けるだけで、前記スクリューガイドを形成することができる。また、パイプ部およびガイド部を別々に熱処理することが可能であるので、これらのガイド部とパイプ部とは大きく変形しない。さらに、前記パイプは中空円筒状に形成されているので、このパイプ部を容易にセンタレス加工できる。そのため、このパイプ部を高精度に仕上げることが可能である。
【発明を実施するための最良の形態】
【０００７】
以下、図面に基づき本発明の最良の実施形態を説明する。
図１において１はねじ締め工具１であり、軸線方向に延びる中空穴を有するスクリューガイド２と、このスクリューガイド２内に所定の隙間を有して内挿されるドライバビット３とから構成される。このスクリューガイド２は、中空円筒状のガイド部４と、このガイド部４の内径と同径の内径を有し、かつ前記ガイド部４の外径よりも小さい外径を有する中空円筒状のパイプ部５とから構成されている。また、前記ガイド部４の中空穴は段付部４ａを有しており、この段付部４ａには前記パイプ部５の一端が挿入され、嫌気性の接着剤によって固定されている。さらに、前記ガイド部４の下部にはエア吸引用のエア吸引穴６が穿設されており、本発明のねじ締め工具１は前記ドライバビット３と前記パイプ部５の内径との隙間からエアを吸引して当該パイプ部５の内径面にねじ（図示せず）を吸引保持するように構成されている。なお、上記パイプ部５は嫌気性接着剤でなく、圧入によってガイド部４に取り付けられてもよい。
【０００８】
本発明のねじ締め工具１では、前記スクリューガイド２がガイド部４とパイプ部５とを組み合わせて構成されている。このような構成であるため、あらかじめ前記パイプ部５と同径に形成された中空円筒状の棒材を準備し、この棒材から必要な長さだけ切り取ることで、前記パイプ部５を構成することができる。つまり、手軽に前記パイプ部５の作り置きが可能である。また、前記ガイド部４およびパイプ部５の肉厚は一様なので、これらの部品を熱処理する際、これらの部品には一様な温度分布が生じる。ゆえに、前記ガイド部４およびパイプ部５は一様に自由膨張し、これらそれぞれにひずみが生じることはない。さらに、このパイプ部５は中空円筒状に形成されているので、このパイプ部５を熱処理した後、センタレス加工することができる。そのため、このパイプ部５の精度を向上させることができる。
【図面の簡単な説明】
【０００９】
【図１】本発明に係るねじ締め工具の要部拡大一部切欠断面図である。
【符号の説明】
【００１０】
１  ねじ締め工具
２  スクリューガイド
３  ドライバビット
４  ガイド部
４ａ  段付き部
５  パイプ部
６  吸引穴
１１  ねじ締め工具
１２  スクリューガイド
１３  ドライバビット
１４  パイプ部
【図１】
2008055561.tif 000003